(57)【特許請求の範囲】
【請求項１】
検体液が滴下され且つ滴下された検体液が長手方向に流されるクロマトグラフィー試験片を撮像し、得られた画像に基づいて前記検体液を分析する免疫検査装置であって、
前記クロマトグラフィー試験片を撮像する撮像部と、
前記撮像部によって取得された画像に基づいて前記クロマトグラフィー試験片に対する前記検体液の滴下の有無を判定する判定部と、
前記判定部の判定結果を報知する報知部と、
前記クロマトグラフィー試験片の長手方向の水平に対する傾きを検出するセンサと、
前記撮像部と前記判定部と前記報知部とによって実行される判定処理を、前記センサによって検出される傾きに基づいて制御する制御部と、
を備え、
前記制御部は、
前記検体液が滴下されてから前記画像が取得されるまでの経過時間である判定時間を前記センサによって検出される傾きに応じて設定し、
前記判定時間が経過した際に、前記撮像部に前記クロマトグラフィー試験片を撮像させるものであり、
前記判定部は、
前記画像中に設定される判定領域において、前記クロマトグラフィー試験片の長手方向の輝度変化率を取得し、
前記輝度変化率の絶対値が第１閾値以上である輝度段差が存在する場合に、前記検体液が滴下されたものと判定する免疫検査装置。
【請求項２】
検体液が滴下され且つ滴下された検体液が長手方向に流されるクロマトグラフィー試験片を撮像し、得られた画像に基づいて前記検体液を分析する免疫検査装置であって、
前記クロマトグラフィー試験片を撮像する撮像部と、
前記撮像部によって取得された画像に基づいて前記クロマトグラフィー試験片に対する前記検体液の滴下の有無を判定する判定部と、
前記判定部の判定結果を報知する報知部と、
前記クロマトグラフィー試験片の長手方向の水平に対する傾きを検出するセンサと、
前記撮像部と前記判定部と前記報知部とによって実行される判定処理を、前記センサによって検出される傾きに基づいて制御する制御部と、
を備え、
前記制御部は、
前記検体液が滴下されてから前記画像が取得されるまでの経過時間である判定時間を前記センサによって検出される傾きに応じて設定し、
前記判定時間が経過した際に、前記撮像部に前記クロマトグラフィー試験片を撮像させるものであり、
前記判定部は、
前記画像中に設定される判定領域において、輝度値が第２閾値以下である暗画素を検出し、
前記暗画素が所定数以上存在する場合に、前記検体液が滴下されたものと判定する免疫検査装置。
【請求項３】
検体液が滴下され且つ滴下された前記検体液が長手方向に流されるクロマトグラフィー試験片を撮像し、得られた画像に基づいて前記検体液を分析する免疫検査装置であって、
前記クロマトグラフィー試験片を撮像する撮像部と、
前記撮像部によって取得された画像に基づいて前記クロマトグラフィー試験片に対する前記検体液の滴下の有無を判定する判定部と、
前記判定部の判定結果を報知する報知部と、
前記クロマトグラフィー試験片の長手方向の水平に対する傾きを検出するセンサと、
前記撮像部と前記判定部と前記報知部とによって実行される判定処理を、前記センサによって検出される傾きに基づいて制御する制御部と、
を備え、
前記制御部は、
前記検体液が滴下されてから前記画像が取得されるまでの経過時間である判定時間を前記センサによって検出される傾きに応じて設定し、
前記判定時間が経過した際に、前記撮像部に前記クロマトグラフィー試験片を撮像させるものであり、
前記判定部は、
複数枚の前記画像毎に、前記画像中に設定される判定領域において、輝度値が第３閾値以上である明画素を検出し、
前記画像それぞれの前記明画素の画素数が前記画像の取得順に減少している場合に、前記検体液が滴下されたものと判定する免疫検査装置。
【請求項４】
請求項１から３のいずれか一項記載の免疫検査装置であって、
前記制御部は、
前記クロマトグラフィー試験片の長手方向が水平である場合に設定する前記判定時間を基準判定時間とし、
前記クロマトグラフィー試験片を流れる前記検体液の流れの下流側が上流側よりも下側に配置される傾きが検出された場合に、前記判定時間を前記基準判定時間よりも短く設定し、
前記クロマトグラフィー試験片を流れる前記検体液の流れの下流側が上流側よりも上側に配置される傾きが検出された場合に、前記判定時間を前記基準判定時間よりも長く設定する免疫検査装置。
【請求項５】
請求項１から４のいずれか一項記載の免疫検査装置であって、
前記クロマトグラフィー試験片は、前記検体液との接触によって呈色する反応部を有するものであり、
前記判定領域は、前記画像中の前記反応部よりも、前記クロマトグラフィー試験片を流れる前記検体液の流れの上流側に設定される免疫検査装置。
【請求項６】
請求項１から５のいずれか一項記載の免疫検査装置であって、
前記判定部は、前記検体液の分析に用いられる分析用画像の取得タイミングより前のタイミングで前記撮像部によって取得された画像に基づいて前記クロマトグラフィー試験片に対する前記検体液の滴下の有無を判定する免疫検査装置。
【請求項７】
請求項６記載の免疫検査装置であって、
前記撮像部は、前記分析用画像を取得する免疫検査装置。
【発明の詳細な説明】
【技術分野】
【０００１】
本発明は、免疫検査装置に関する。
【背景技術】
【０００２】
インフルエンザ等のウイルス感染症の検査に、抗原抗体反応を利用して検体中のウイルス等の抗原を検出し又は定量する免疫検査装置が用いられている。この種の免疫検査装置では、典型的には、検体液がクロマトグラフィー試験片に滴下される。試験片に滴下された検体液は、試験片を長手方向に流れ、試験片に設けられている反応部を通過する。反応部は検体液中の抗原を抗原抗体反応によって捕捉することにより呈色し、この反応部が撮像され、取得された画像中の反応部の呈色強度に基づいて抗原が検出され又は定量される。【０００３】
反応部の呈色は、反応部が検体液と接触している時間（反応時間）に影響され、検体液中の抗原の濃度が同じであっても反応時間が異なれば反応部の呈色強度が異なる。特許文献１に記載された検査装置では、反応時間を高精度に管理する観点から、反応部を撮像する撮像センサとは別に、試験片において検体液が滴下される添加部を撮像する添加状態撮像センサがさらに設けられている。添加状態撮像センサによって取得される画像に基づいて適正量の検体液が試験片に滴下されたことが検出されるのと同時に時間計測が開始され、計測開始から所定時間経過後に反応部が撮像され、反応時間が管理されている。
【先行技術文献】
【特許文献】
【０００４】
【特許文献１】日本国特開２０１０−３２４４７号公報
【発明の概要】
【発明が解決しようとする課題】
【０００５】
検体液は、オペレータによって試験片に滴下されるため、滴下忘れが生じ得る。例えば、上記反応時間は、典型的には１０分程度とされるが、検体液が滴下されないまま分析が進められると、この反応時間を含めて分析に要する時間が無駄となる。分析作業の効率化の観点から、滴下忘れが早期に検出され、オペレータに報知されることが望ましい。【０００６】
特許文献１に記載された検査装置では、添加状態撮像センサによって取得される添加部の画像の明暗度が監視されており、検体液が滴下されていない状態での明暗度を基準値として、基準値からの差分に基づいて検体液が適正量に達したか否かが検出されている。以上の検出動作では、基準値とされる検体液が滴下されていない状態、すなわち滴下忘れを検出することはできない。【０００７】
また、特許文献１に記載された検査装置では、試験片が検査装置に装着されてから所定時間内に検体液が適正量に達しない場合に、再測定を促す表示が表示部に出力される。この表示に基づき、結果的に滴下忘れがオペレータに認識されるとしても、試験片の反応部を撮像する撮像センサとは別に試験片の添加部を撮像する追加の添加状態撮像センサが必要となるため、検査装置の小型化及び低コスト化に不利である。【０００８】
本発明は、上述した事情に鑑みなされたものであり、クロマトグラフィー試験片に対する検体液の滴下忘れを早期に報知可能な免疫検査装置を提供することを目的とする。
【課題を解決するための手段】
【０００９】
本発明の一態様の免疫検査装置は、検体液が滴下され且つ滴下された検体液が長手方向に流されるクロマトグラフィー試験片を撮像し、得られた画像に基づいて上記検体液を分析する免疫検査装置であって、上記クロマトグラフィー試験片を撮像する撮像部と、上記撮像部によって取得された画像に基づいて上記クロマトグラフィー試験片に対する上記検体液の滴下の有無を判定する判定部と、上記判定部の判定結果を報知する報知部と、上記クロマトグラフィー試験片の長手方向の水平に対する傾きを検出するセンサと、上記撮像部と前記判定部と前記報知部とによって実行される判定処理を、前記センサによって検出される傾きに基づいて制御する制御部と、を備え、上記制御部は、上記検体液が滴下されてから上記画像が取得されるまでの経過時間である判定時間を前記センサによって検出される傾きに応じて設定し、上記判定時間が経過した際に、上記撮像部に前記クロマトグラフィー試験片を撮像させるものであり、上記判定部は、上記画像中に設定される判定領域において、上記クロマトグラフィー試験片の長手方向の輝度変化率を取得し、上記輝度変化率の絶対値が第１閾値以上である輝度段差が存在する場合に、上記検体液が滴下されたものと判定する。
【００１０】
また、本発明の一態様の免疫検査装置は、検体液が滴下され且つ滴下された検体液が長手方向に流されるクロマトグラフィー試験片を撮像し、得られた画像に基づいて上記検体液を分析する免疫検査装置であって、上記クロマトグラフィー試験片を撮像する撮像部と、上記撮像部によって取得された画像に基づいて上記クロマトグラフィー試験片に対する上記検体液の滴下の有無を判定する判定部と、上記判定部の判定結果を報知する報知部と、上記クロマトグラフィー試験片の長手方向の水平に対する傾きを検出するセンサと、上記撮像部と前記判定部と前記報知部とによって実行される判定処理を、前記センサによって検出される傾きに基づいて制御する制御部と、を備え、上記制御部は、上記検体液が滴下されてから上記画像が取得されるまでの経過時間である判定時間を前記センサによって検出される傾きに応じて設定し、上記判定時間が経過した際に、上記撮像部に前記クロマトグラフィー試験片を撮像させるものであり、上記判定部は、上記画像中に設定される判定領域において、輝度値が第２閾値以下である暗画素を検出し、上記暗画素が所定数以上存在する場合に、上記検体液が滴下されたものと判定する。
【００１１】
本発明の一態様の免疫検査装置は、検体液が滴下され且つ滴下された上記検体液が長手方向に流されるクロマトグラフィー試験片を撮像し、得られた画像に基づいて上記検体液を分析する免疫検査装置であって、上記クロマトグラフィー試験片を撮像する撮像部と、上記撮像部によって取得された画像に基づいて上記クロマトグラフィー試験片に対する上記検体液の滴下の有無を判定する判定部と、上記判定部の判定結果を報知する報知部と、上記クロマトグラフィー試験片の長手方向の水平に対する傾きを検出するセンサと、上記撮像部と前記判定部と前記報知部とによって実行される判定処理を、前記センサによって検出される傾きに基づいて制御する制御部と、を備え、上記制御部は、上記検体液が滴下されてから上記画像が取得されるまでの経過時間である判定時間を前記センサによって検出される傾きに応じて設定し、上記判定時間が経過した際に、上記撮像部に前記クロマトグラフィー試験片を撮像させるものであり、上記判定部は、複数枚の上記画像毎に、上記画像中に設定される判定領域において、輝度値が第３閾値以上である明画素を検出し、上記画像それぞれの上記明画素の画素数が上記画像の取得順に減少している場合に、上記検体液が滴下されたものと判定する。
【発明の効果】
【００１２】
本発明によれば、クロマトグラフィー試験片に対する検体液の滴下忘れを早期に報知可能な免疫検査装置を提供することができる。
【図面の簡単な説明】
【００１３】
【図１】本発明の実施形態を説明するための、クロマトグラフィー試験片を収納したカートリッジの一例の斜視図である。
【図２】図１のクロマトグラフィー試験片の模式図である。
【図３】本発明の実施形態を説明するための、免疫検査装置の一例のブロック図である。
【図４】図３の免疫検査装置の撮像部の模式図である。
【図５】クロマトグラフィー試験片の色調の一例を示す模式図である。
【図６】クロマトグラフィー試験片の色調の他の例を示す模式図である。
【図７】クロマトグラフィー試験片の画像の輝度情報の一例を示すグラフである。
【図８】図７の輝度情報から取得される輝度変化率を示すグラフである。
【図９】図３の免疫検査装置の制御部が実行する判定処理の一例のフローチャートである。
【図１０】クロマトグラフィー試験片の色調の他の例を示す模式図である。
【図１１】クロマトグラフィー試験片の画像の輝度情報の他の例を示すグラフである。
【図１２】図３の免疫検査装置の制御部が実行する判定処理の他の例のフローチャートである。
【図１３】図３の免疫検査装置の制御部が実行する判定処理の他の例のフローチャートである。
【図１４】図３の免疫検査装置の制御部が実行する判定処理の他の例のフローチャートである。
【発明を実施するための形態】
【００１４】
図１及び図２は、本発明の実施形態を説明するための、検体液の分析に用いられるクロマトグラフィー試験片及びクロマトグラフィー試験片を収納したカートリッジの一例を示す。
【００１５】
図１及び図２に示すクロマトグラフィー試験片（以下、試験片という）１は、抗原抗体反応を利用して検体液中のウイルス等の抗原を検出し又は定量する分析に用いられるものである。試験片１は、例えばセルロース等の多孔質材料からなる帯状の薄片であり、典型的には白色である。試験片１は、長手方向ｘの一方側の端部に設けられている滴下部２と、長手方向ｘに滴下部２に隣設されている展開部３とを備える。検体液は滴下部２に滴下され、滴下部２に滴下された検体液は、毛細管現象によって滴下部２から展開部３に流れ、さらに滴下部２とは反対側の端部に向けて展開部３を長手方向ｘに流れる。
【００１６】
滴下部２には、金コロイド粒子によって標識された標識抗体ｂが設けられている。標識抗体ｂは、滴下部２に滴下された検体液に溶解し、検体液に抗原ａが含まれている場合には抗原ａと結合して抗原抗体複合物ａｂを形成する。抗原抗体複合物ａｂは検体液の流れに乗って移動され、抗原ａと結合することなく残った余剰の標識抗体ｂもまた検体液の流れに乗って移動される。
【００１７】
展開部３には、反応部４が設けられている。反応部４は、検体液中の抗原ａを検出又は定量するための判定ライン５を有し、さらに本例では、検体液が試験片１に適切に流れたことを検出するためのコントロールライン６を有する。判定ライン５及びコントロールライン６は、長手方向ｘと直交する短手方向ｙに展開部３を横断して設けられており、コントロールライン６は、判定ライン５よりも検体液の流れの下流側に設けられている。
【００１８】
検体液中の抗原ａを検出又は定量するための判定ライン５には、抗原ａと結合する第１捕捉抗体ｃが固定的に設けられている。検体液の流れに乗って移動される抗原抗体複合物ａｂは、判定ライン５の第１捕捉抗体ｃに捕捉され、判定ライン５に固定される。抗原抗体複合物ａｂが判定ライン５に固定されることにより、抗原抗体複合物ａｂの標識抗体ｂに付着している金コロイド粒子によって判定ライン５が呈色し、固定される抗原抗体複合物ａｂが増加するほどに判定ライン５の呈色が強くなる。この判定ライン５の呈色が吸光度の変化として光学的に検出され、検体液中の抗原ａが検出又は定量される。
【００１９】
検体液が試験片１に適切に流れたことを検出するためのコントロールライン６には、標識抗体ｂと結合する第２捕捉抗体ｄが固定的に設けられている。検体液の流れに乗って移動される余剰の標識抗体ｂは、第１捕捉抗体ｃに捕捉されずに判定ライン５を通過し、コントロールライン６の第２捕捉抗体ｄに捕捉され、コントロールライン６に固定される。標識抗体ｂがコントロールライン６に固定されることにより、標識抗体ｂに付着している金コロイド粒子によってコントロールライン６が呈色し、固定される標識抗体ｂが増加するほどにコントロールライン６の呈色が強くなる。すなわち、コントロールライン６は、検体液に抗原ａが含まれているか否かにかかわらず、検体液と接触することによって呈色する。このコントロールライン６の呈色が吸光度の変化として光学的に検出され、検体液が試験片１に適切に流れたことが検出される。
【００２０】
試験片１は、カートリッジ７に収納されて用いられる。カートリッジ７には、収納されている試験片１の滴下部２に対向する開口部８が設けられており、検体液は開口部８を通して滴下部２に滴下される。カートリッジ７は、透明な樹脂材料からなり、試験片１の反応部４（判定ライン５及びコントロールライン６）の呈色は、カートリッジ７を通して光学的に検出される。
【００２１】
図３及び図４は、試験片１を用いて分析を実施する免疫検査装置の一例を示す。
【００２２】
免疫検査装置１０は、操作部１１と、撮像部１２と、報知部１３と、記憶部１４と、これら操作部１１、撮像部１２、報知部１３、及び記憶部１４の動作を統括する制御部１５とを備える。
【００２３】
操作部１１は、オペレータの各種指示（例えば分析開始指示等）を受け付ける。操作部１１は、例えばスイッチ等のハードウェアキーによって構成される。操作部１１によって受け付けられた指示は、制御部１５に入力される。
【００２４】
撮像部１２は、試験片１の反応部４（判定ライン５及びコントロールライン６）の呈色を光学的に検出する。撮像部１２は、試験片１を収納したカートリッジ７が設置される設置部２０と、ＬＥＤ（Light Emitting Diode）等の光源２１と、ＣＣＤ（Charge-Coupled Device）、ＣＭＯＳ（Complementary Metal Oxide Semiconductor）等の撮像素子２２とを含む。設置部２０に設置されたカートリッジ７の試験片１は、光源２１によって照明され、照明された状態で撮像素子２２によって撮像される。取得された試験片１の画像は、制御部１５に入力される。
【００２５】
報知部１３は、オペレータに各種の情報（例えば分析結果等）を報知する。報知部１３は、例えばＬＣＤ(Liquid Crystal Display)、ＯＥＬＤ(Organic Electro-Luminescence Display）等の表示パネルを含み、表示パネルの表示画面に画像や文字を表示することによって情報を報知してもよい。また、報知部１３は、ＬＥＤ（Light Emitting Diode）等の表示灯を含み、表示灯の点灯、点滅等によって情報を報知してもよい。また、報知部１３は、ブザーを含み、音声によって情報を報知してもよい。
【００２６】
記憶部１４は、制御部１５によって実行される制御プログラム及び制御データを記憶しており、また、分析結果等の各種の情報を記憶する。記憶部１４は、例えばフラッシュメモリ、ハードディスク、ＲＯＭ（Read Only Memory）、ＲＡＭ（Random Access Memory）等の格納媒体によって構成される。
【００２７】
制御部１５は、制御プログラムに従って動作することにより、操作部１１、撮像部１２、報知部１３、及び記憶部１４の動作を統括する。また、制御部１５は、制御プログラムに従って動作することにより、画像処理部２３、分析部２４としても機能する。
【００２８】
画像処理部２３は、試験片１の画像に表れる反応部４（判定ライン５及びコントロールライン６）の呈色強度を、画像の輝度によって数値化した輝度情報を生成する。
【００２９】
分析部２４は、輝度情報によって示される判定ライン５の呈色強度に基づいて検体液中の抗原ａを検出又は定量する。また、分析部２４は、輝度情報によって示されるコントロールライン６の呈色強度に基づいて検体液が試験片１に適切に流れたことを検出する。そして、分析部２４は、以上の分析の結果を生成する。
【００３０】
上記構成において、制御部１５は、制御プログラムに従って動作することにより、操作部１１から分析開始指示が入力されると、所定の分析プロセスを実行する。所定の分析プロセスは、分析開始から所定の反応時間の経過を計時するステップと、所定の反応時間経過後に撮像部１２に試験片１を撮像させるステップと、取得された試験片１の画像に表れる反応部４（判定ライン５及びコントロールライン６）の呈色強度を画像の輝度によって数値化した輝度情報を生成するステップと、生成した輝度情報に基づいて分析結果を生成するステップとを含む。なお、反応時間は、反応部４が検体液と接触している時間であり、所定の反応時間は、抗原を所定の濃度で含む検体液が水平に置かれた試験片１を流れた場合に、反応部４が検出に十分な強度で呈色する時間であり、適宜設定される。
【００３１】
そして、制御部１５は、上記所定の分析プロセスを経て生成された分析結果を報知部１３に報知させ、また、記憶部１４に記憶させる。
【００３２】
さらに、制御部１５は、制御プログラムに従って動作することにより、判定部２５としても機能し、試験片１に検体液が滴下されているか否かを判定し、判定結果を報知部１３に報知させる処理を実行する。この判定処理については後述する。
【００３３】
本例では、コントロールライン６の呈色強度に基づいて検体液が試験片１に適切に流れたことが検出され、この検出結果によっても試験片１に検体液が滴下されたか否かの判定は可能である。ただし、この検出結果が取得されるまでには、上記所定の反応時間が経過して、反応部４の呈色強度を数値化した輝度情報を生成するための画像、すなわち検体液の分析に用いられる分析用画像が取得されることを要する。試験片１に対する検体液の滴下忘れを早期に報知する観点から、上記判定処理の実行、及び判定結果の報知は、少なくとも分析用画像の取得タイミングよりも前のタイミングで行われる。
【００３４】
画像処理部２３、分析部２４、判定部２５として各種の処理を行う制御部１５のハードウェア的な構造は、汎用的なプロセッサであるＣＰＵ（Central Processing Unit）、ＦＰＧＡ（Field Programmable Gate Array）などの製造後に回路構成を変更可能なプロセッサであるプログラマブルロジックデバイス（Programmable Logic Device:ＰＬＤ）、ＡＳＩＣ（Application Specific Integrated Circuit）などの特定の処理を実行させるために専用に設計された回路構成を有するプロセッサである専用電気回路などが含まれる。
【００３５】
制御部１５の各処理部（画像処理部２３、分析部２４、判定部２５等）は、処理部毎に、上記各種のプロセッサのうちの一つのプロセッサによって構成されてもよいし、同種又は異種の二つ以上のプロセッサの組み合わせ（例えば、複数のＦＰＧＡや、ＣＰＵとＦＰＧＡとの組み合わせ）によって構成されてもよい。また、複数の処理部が一つのプロセッサによって構成されてもよい。
【００３６】
複数の処理部を一つのプロセッサによって構成する例としては、第１に、クライアントやサーバなどのコンピュータに代表されるように、一つ以上のＣＰＵとソフトウェアの組み合せで一つのプロセッサを構成し、このプロセッサが複数の処理部として機能する形態がある。第２に、システムオンチップ（System On Chip：ＳｏＣ）などに代表されるように、複数の処理部を含むシステム全体の機能を一つのＩＣ（Integrated Circuit）チップで実現するプロセッサを使用する形態がある。このように、各種の処理部は、ハードウェア的な構造として、上記各種のプロセッサを一つ以上用いて構成される。さらに、これらの各種のプロセッサのハードウェア的な構造は、より具体的には、半導体素子などの回路素子を組み合わせた電気回路（circuitry）である。
【００３７】
以下、試験片１に検体液が滴下されているか否かを判定する判定方法について説明する。
【００３８】
図５は、検体液が流れている途中の試験片１の色調を示す模式図であり、図６は検体液が流れきった試験片１の色調を示す模式図である。
【００３９】
試験片１は、検体液が滴下されていない状態では白色であり、検体液が滴下されて濡れることによって検体液に濡れた領域は暗くなる。図５に示すように、検体液が流れている途中の試験片１、すなわち検体液の流れの先端が試験片１の滴下部２とは反対側の端部に達する以前の試験片１では、既に検体液に濡れた既展開領域Ａ１と、未展開領域Ａ２との間に色調の境界Ｂが生じる。この色調の境界Ｂは、試験片１の画像において、試験片１の短手方向ｙに延びる輝度段差となって表れる。
【００４０】
そこで、試験片１の画像の輝度段差を検出することによって、試験片１に検体液が滴下されているか否かを判定することが可能である。すなわち、輝度段差が検出された場合には、検体液が滴下されているものと判定することができ、輝度段差が検出されない場合には、検体液が滴下されていないものと判定することができる。
【００４１】
ただし、図６に示すように、検体液が流れきった試験片１、すなわち検体液の流れの先端が試験片１の滴下部２とは反対側の端部に達した試験片１では、試験片１の全体が既展開領域Ａ１となり、境界Ｂは消失してしまう。したがって、検体液が滴下されているか否かの判定に用いられる試験片１の画像（判定用画像）は、少なくとも試験片１に滴下された検体液が試験片１を流れきる以前に取得される。
【００４２】
検体液が試験片１に滴下されてから試験片１を流れきるまでに要する時間は、試験片１の長さ及び試験片１の長手方向ｘ（検体液の流れ方向）の水平に対する傾きにもよるが、典型的には２分程度である。このことから、判定用画像は、例えば検体液が試験片１に滴下されてから３０秒〜１分３０秒経過後に取得された画像とすることができる。
【００４３】
図７は、判定用画像の輝度情報の一例を示し、図８は、図７の輝度情報から取得される輝度変化率を示す。
【００４４】
図７に示す輝度情報は、図５に示した検体液が流れている途中の試験片１の画像を、輝度によって数値化したものであり、試験片１の長手方向ｘの輝度変化を示している。試験片１の既展開領域Ａ１と未展開領域Ａ２との間に生じる色調の境界Ｂは、輝度情報において、輝度段差Δとなって表れている。
【００４５】
数値化の手法は、特に限定されるものではないが、例えば撮像部１２からＹＵＶ（Ｙ：輝度信号、Ｕ：輝度信号と青色成分の差、Ｖ：輝度信号と赤色成分の差）形式又はＹＣｂＣｒ（Ｙ：輝度信号、Ｃｂ：輝度信号と青色成分の差、Ｃｒ：輝度信号と赤色成分の差）形式の画像信号が出力される場合に、Ｙ信号を直接用いる方法がある。この方法は、撮像部１２から出力される信号を直接用いることができるので簡便であり、且つ検体液の色によらないので汎用性に優れる。
【００４６】
また、Ｙ信号に替えて、ＹＵＶ形式のＵ信号及びＶ信号のうちいずれか一つの信号、又はＹＣｂＣｒ形式のＣｂ信号及びＣｒ信号のうちいずれか一つの信号を用いることもでき、また、撮像部１２からＲＧＢ（Ｒ：赤色成分、Ｇ：緑色成分、Ｂ：青色成分）形式又はＲａｗ（Raw image format）形式の画像信号が出力される場合に、ＲＧＢ形式のＲ信号、Ｇ信号、及びＢ信号のうちいずれか一つの信号、又はＲａｗ形式のＲ信号、Ｇ信号、及びＢ信号のうちいずれか一つの信号を用いることもできる。この方法は、検体液が着色されている場合に、検体液の色に対して感度の高い色成分の信号を用いることにより、既展開領域Ａ１と未展開領域Ａ２との境界Ｂ１に対応する輝度段差Δを拡大でき、輝度段差Δの検出精度を高めることができるので、検体液が着色されている場合に好適である。
【００４７】
なお、Ｙ信号、Ｕ信号、Ｖ信号、Ｃｂ信号、Ｃｒ信号、Ｒ信号、Ｇ信号、Ｂ信号の各信号を単独で使用する場合に、信号の０を黒色とし、１を白色とする。
【００４８】
長手方向ｘの輝度変化は、長手方向ｘに延びる任意の一つの画素列の輝度値に基づいて生成されてもよいが、好ましくは、短手方向ｙに延びる画素列毎の輝度値の平均値に基づいて生成される。平均値を用いることにより、例えば試験片１、カートリッジ７等に付着したゴミに起因するノイズを低減することができる。
【００４９】
図８に示す輝度変化率は、図７の輝度情報から生成される輝度変化率であり、試験片１の長手方向ｘの輝度変化率を示している。試験片１の滴下部２をｘ＝０とし、ｘ＝０，１，２・・・１０２３の位置の画素の輝度値をＹ０，Ｙ１，Ｙ２・・・Ｙ１０２３とした場合に、あるｘ＝ｎ（ただし、ｎ＝ｍ＋１、ｍ＞１の整数）における輝度変化率Ｚｎは、例えば式（１）によって求めることができる。Ｚｎ＝Ｙｎ−（Ｙｎ−ｍ＋Ｙｎ−ｍ＋１＋・・・＋Ｙｎ−１）／ｍ・・・（１）
さらに、Ｚｎ〜Ｚｎ−ｌ（ただし、ｌ＞１の整数であり、ｎ＞ｌ）の中央値ＺＺｎを求め、このＺＺｎを判定用の輝度変化率として採用することにより、ノイズを低減することができる。なお、ｘの値域は撮像部１２の画素分解能に応じて変更され、上記の例ではｘ方向の分解能が１０２４画素の場合である。また、ｍの値は、撮像部１２の分解能や感度に応じて適宜設定可能である。
【００５０】
境界Ｂに対応する輝度段差Δは、輝度変化率において正側に凸となるピークＰとなって表れる。例えば、検体液が滴下された試験片１を実際に免疫検査装置１０で撮像して得たピークＰの輝度変化率（絶対値）の実験値と、既展開領域Ａ１及び未展開領域Ａ２の輝度変化率（絶対値）の実験値との間で第１閾値ＴＶ１を設定しておき、輝度変化率（絶対値）が第１閾値ＴＶ１以上である輝度段差を検出し、第１閾値ＴＶ１以上である輝度段差が存在する場合に、検体液が試験片１に滴下されているものと判定することができる。
【００５１】
第１閾値ＴＶ１の設定例を以下に示す。まず、試験片１の画像の数値化にＹ信号を用い、試験片１の白色部分に対応する１０Ｘ１０画素の輝度平均値を１とする。そして、式（１）のｍ、ｌをそれぞれｍ＝５、ｌ＝５として、検体液が滴下されている試験片１の輝度変化率ＺＺｎを求めたところ、ピークＰの輝度変化率の最大値(絶対値)は約０．０３５であり、既展開領域Ａ１及び未展開領域Ａ２の輝度変化率の最大値（絶対値）は０．００５であったとする。この場合に、第１閾値ＴＶ１は（０．０３５−０．００５）／２＝０．０１５とすることができる。なお、第１閾値ＴＶ１は、必ずしも上式によって設定される必要はなく、既展開領域Ａ１及び未展開領域Ａ２の輝度変化率のバラつきを考慮した上で、ピークＰの輝度変化率と既展開領域Ａ１及び未展開領域Ａ２の輝度変化率との間で適宜設定可能である。  
【００５２】
図９は、輝度段差に基づいて検体液が滴下されているか否かを判定する場合の、制御部１５が実行する判定処理のフローを示す。
【００５３】
検体液が試験片１に滴下された後に直ちに分析が開始されるものとして、制御部１５は、分析開始指示が入力されると、分析開始から所定の判定時間ｔ１の経過を計時する（ステップＳ１）。所定の判定時間ｔ１は、試験片１に滴下された検体液が試験片１を流れきるのに要する時間よりも短い時間であり、例えば３０秒〜１分３０秒とすることができる。
【００５４】
所定の判定時間経過後、制御部１５は、撮像部１２に試験片１を撮像させる（ステップＳ２）。そして、制御部１５は、ステップＳ２にて取得された試験片１の画像（判定用画像）を用い、この判定用画像の長手方向ｘの輝度変化率を取得し（ステップＳ３）、判定用画像に設定される判定領域の輝度変化率に基づいて、検体液が滴下されているか否かを判定する（ステップＳ４）。
【００５５】
ここで判定領域は、判定用画像の全域に設定されてもよいし、判定時間ｔ１が経過した時点で境界Ｂに対応する輝度段差Δの存在が予測される領域を少なくとも含んだ判定用画像の一部の領域に設定されてもよい。判定領域が判定用画像の一部の領域に設定される場合に、上記ステップＳ３において、判定領域の輝度変化率のみを取得するようにしてもよい。判定領域が判定用画像の一部の領域に設定されることにより、制御部１５にかかる処理負荷を軽減することができる。
【００５６】
検体液が滴下されているか否かの判定において、制御部１５は、輝度変化率が第１閾値ＴＶ１以上である輝度段差Δが存在しない場合に、検体液が滴下されていないものと判定し（ステップＳ５）、報知部１３に判定結果を報知させる（ステップＳ６）。一方、輝度変化率が第１閾値ＴＶ１以上である輝度段差Δが存在する場合には、制御部１５は、検体液が滴下されているものと判定し（ステップＳ７）、判定処理に続けて分析処理を実行する。
【００５７】
判定処理に続く分析処理では、制御部１５は、分析開始から所定の反応時間ｔ２の経過を計時する（ステップＳ８）。所定の反応時間ｔ２は、抗原を所定の濃度で含む検体液が水平に置かれた試験片１に流れた場合に、反応部４が検出に十分な強度で呈色する時間であり、例えば２０分とすることができる。
【００５８】
所定の反応時間経過後、制御部１５は、撮像部１２に試験片１を撮像させる（ステップＳ９）。そして、制御部１５は、ステップＳ８にて取得された試験片１の画像（分析用画像）を用いて、反応部４（判定ライン５及びコントロールライン６）の呈色強度を数値化した輝度情報を生成する（ステップＳ１０）。
【００５９】
そして、制御部１５は、ステップＳ１０にて生成した輝度情報に基づいて反応部４（判定ライン５及びコントロールライン６）の呈色強度を検出し（ステップＳ１１）、検出された呈色強度から得られる分析結果（検体液中の抗原の検出結果又は定量結果、及び検体液が試験片１に適切に流れたこと）を報知部１３に報知させる（ステップＳ１２）。
【００６０】
このように、試験片１の判定用画像の判定領域に表れる輝度段差に基づいて検体液が滴下されているか否かを判定することにより、反応部４のコントロールライン６の呈色が検出可能となる所定の反応時間ｔ２の経過を待たずに、早期に検体液の滴下忘れを報知することが可能となる。そして、滴下忘れの状態で分析が進められた場合の無駄を排し、分析作業の効率化を図ることができる。また、試験片１の判定用画像と、分析用画像とを、共通の撮像部１２によって取得するので、免疫検査装置１０の小型化及び低コスト化を図ることもできる。
【００６１】
コントロールライン６の呈色が検出可能となる所定の反応時間ｔ２の経過を待たずに、早期に検体液の滴下忘れを報知する観点から、判定領域が画像の一部の領域に設定される場合に、好ましくは、判定領域は、画像中のコントロールライン６よりも、試験片１を流れる検体液の流れの上流側に設定される。図５に示すように、判定領域Ｒがコントロールライン６よりも上流側に設定されることにより、検体液の流れの先端、すなわち境界Ｂが早期に判定領域Ｒに達し、これにより、分析開始から判定用画像が取得されるまでの判定時間ｔ１を短縮して、さらに早期に検体液の滴下忘れを報知することができる。
【００６２】
なお、上記の判定処理において、所定の判定時間ｔ１が経過する以前に検体液が試験片１を流れきり、境界Ｂが試験片１から消失してしまう場合がある。このような場合として、免疫検査装置１０の設置状況に起因して試験片１の長手方向ｘが水平に対して傾き、試験片１を流れる検体液の流れの下流側が相対的に下側に配置され、検体液の流れが速くなる場合が例示される。逆に、試験片１を流れる検体液の流れの下流側が相対的に上側に配置される場合には、検体液の流れが遅くなり、判定時間ｔ１が経過した時点で境界Ｂが試験片１に生じない可能性がある。これらの場合に対し、例えば試験片１の長手方向ｘの水平に対する傾きを検出するセンサを設け、センサによって検出される傾きに応じて判定時間ｔ１を変更するようにしてもよい。
【００６３】
具体的には、試験片１の長手方向ｘが水平である場合の判定時間ｔ１を基準とし、試験片１を流れる検体液の流れの下流側が相対的に下側に配置される傾きである場合には判定時間ｔ１を短縮し、試験片１を流れる検体液の流れの下流側が相対的に上側に配置される傾きである場合には判定時間ｔ１を延長すればよい。これにより、試験片１の長手方向ｘの水平に対する傾きにかかわらず、境界Ｂを試験片１の画像に収め、検体液が滴下されているか否かを適切に判定することができる。
【００６４】
ただし、試験片１の長手方向ｘの水平に対する傾きが過大である場合、すなわち検体液の流れが過度に速いか又は過度に遅い場合などであって、試験片１の長手方向ｘの水平に対する傾きに応じて判定時間ｔ１を変更したとしても境界Ｂを試験片１の画像に収めることができない場合に、輝度段差を検出する上記の判定方法では検体液が滴下されているか否かの判定に支障が生じる虞がある。
【００６５】
また、試験片１の短手方向ｙが水平に対して傾き、検体液が試験片１の短手方向ｙの片側に片寄って流れた場合に、図１０に示すように、境界Ｂが試験片１の短手方向ｙに対して傾斜する場合がある。輝度段差の検出に用いられる輝度情報、すなわち試験片１の長手方向ｘの輝度変化は、好ましくは、短手方向ｙに延びる画素列毎の輝度値の平均値に基づいて生成されるが、境界Ｂが短手方向ｙに対して傾斜している場合に、境界Ｂに対応する輝度段差の輝度及び輝度変化率が、平均化によって実際の輝度及び輝度変化率よりも小さくなる可能性がある。この場合に、輝度変化率が第１閾値ＴＶ１以上である輝度段差を検出する上記の判定方法において、検体液が滴下されているか否かの判定に支障が生じる虞がある。
【００６６】
以下に説明する判定方法は、試験片１の画像において輝度値が第２閾値以下である暗画素を検出し、暗画素の数に基づいて検体液が滴下されているか否かを判定するものである。
【００６７】
図１１は、試験片１の画像を輝度によって数値化した輝度情報であり、試験片１の長手方向ｘに延びる一つの画素列に含まれる各画素の輝度値を示している。そして、図中、実線は、検体液が滴下されている場合の輝度情報を示し、一点鎖線は、検体液が滴下されていない場合の輝度情報を示している。
【００６８】
検体液が滴下されていない場合の試験片１は白色であり、その輝度情報によって示される各画素の輝度値は総じて高い値となっている。一方、検体液が滴下されている場合の試験片１では、検体液が僅かでも流れることによって、色調が相対的に暗い既展開領域Ａ１が広がり、その輝度情報によって示される各画素の輝度値のうち既展開領域Ａ１に対応する画素の輝度値は、相対的に低い値となっている。
【００６９】
検体液が滴下されていない場合の試験片１の輝度値の実験値と、既展開領域Ａ１の輝度値の実験値との間で第２閾値ＴＶ２を設定しておき、輝度値が第２閾値ＴＶ２以下である暗画素を検出し、暗画素の画素数が所定数以上である場合に、既展開領域Ａ１が存在している、すなわち検体液が試験片１に滴下されているものと判定することができる。
【００７０】
第２閾値ＴＶ２の設定例を以下に示す。ｘ＝ｎ、ｙ＝ｐの位置の画素の輝度をＹ（ｎ、ｐ）とし、Ｙ（ｎ−ｑ、ｐ−ｑ）〜Ｙ（ｎ＋ｑ、ｐ＋ｑ）の中央値、すなわち座標（ｎ、ｐ）を中心とした２ｑ×２ｑの領域における輝度の中央値をＹＹ（ｎ、ｐ）とし、輝度の最大値を１とする。検体液が滴下されていない試験片１のＹＹ（ｎ、ｐ）の最小値が０．９４であり、検体液が滴下されている試験片１の既展開領域Ａ１のＹＹ（ｎ、ｐ）の最大値が０．７２であった場合に、第２閾値ＴＶ２は（０．９４＋０．７２）／２＝０．８３とすることができる。なお、第２閾値ＴＶ２は、必ずしも上式により設定される必要はなく、検体液が滴下されていない場合のＹＹ（ｎ、ｐ）の最小値と検体液が滴下されている場合のＹＹ（ｎ、ｐ）の最大値との間で適宜設定可能であり、上記の例において、第２閾値ＴＶ２を０．８３よりも大きな値(例えば０．８８)とすれば、暗画素の検出精度を高めることが可能である。
【００７１】
図１２は、暗画素の画素数に基づいて検体液が滴下されているか否かを判定する場合の、制御部１５が実行する判定処理のフローを示す。
【００７２】
制御部１５は、分析開始指示が入力されると、分析開始から所定の判定時間ｔ３の経過を計時する（ステップＳ２１）。所定の判定時間ｔ３は、輝度段差を検出する上記の判定処理に用いられた判定時間ｔ１と同じであってもよいし、異なっていてもよい。
【００７３】
所定の判定時間経過後、制御部１５は、撮像部１２に試験片１を撮像させる（ステップＳ２２）。制御部１５は、ステップＳ２にて取得された試験片１の画像（判定用画像）を用い、この判定用画像の各画素の輝度値を取得する（ステップＳ２３）。
【００７４】
そして、制御部１５は、ステップＳ２３にて取得した判定用画像の各画素の輝度値に対して第２閾値ＴＶ２を適用することにより、判定用画像に設定される判定領域内の暗画素を検出し、検出した暗画素の画素数ｎに基づいて、検体液が滴下されているか否かを判定する（ステップＳ２４）。判定領域は、判定用画像の全域に設定されてもよいし、判定用画像の一部の領域に設定されてもよく、判定領域が判定用画像の一部の領域に設定される場合に、好ましくは画像中のコントロールライン６よりも、試験片１を流れる検体液の流れの上流側に設定される。
【００７５】
検体液が滴下されているか否かの判定において、暗画素の画素数ｎが所定数Ｎ未満である場合に、制御部１５は、検体液が滴下されていないものと判定し（ステップＳ２５）、報知部１３に判定結果を報知させる（ステップＳ２６）。一方、暗画素の画素数ｎが所定数Ｎ以上である場合には、制御部１５は、検体液が滴下されているものと判定し（ステップＳ２７）、判定処理に続けて分析処理を実行する。
【００７６】
所定数Ｎは特に限定されず、例えばＮ＝１であってもよいが、好ましくは、所定数Ｎは複数である。試験片１、カートリッジ７等に付着したゴミに起因するノイズが暗画素として検出される可能性があり、また、撮像部１２の光源２１のセッティングに起因する試験片１上の照明ムラが暗画素として検出される可能性もあるが、所定数Ｎを複数とすることによって、ノイズ、照明ムラ等の影響を低減し、判定精度を高めることができる。
【００７７】
判定処理に続く分析処理は、図９に示したステップＳ８〜ステップＳ１２と同一であるので、説明を省略する。
【００７８】
このように、試験片１の判定用画像の判定領域に含まれる暗画素の画素数に基づいて検体液が滴下されているか否かを判定することにより、反応部４のコントロールライン６の呈色が検出可能となる所定の反応時間ｔ２の経過を待たずに、早期に検体液の滴下忘れを報知することが可能となる。そして、滴下忘れの状態で分析が進められた場合の無駄を排し、分析作業の効率化を図ることができる。さらに、暗画素は、検体液が試験片１を僅かでも流れることによって試験片１の判定用画像に生じ、また、検体液が試験片１を流れきった場合にも試験片１の判定用画像に生じていることから、試験片１の長手方向ｘの水平に対する傾きにかかわらず、検体液が滴下されているか否かを安定して判定することができる。
【００７９】
なお、明画素を検出することによっても、検体液が滴下されているか否かを判定することができる。
【００８０】
再び、図１１を参照して、検体液が滴下されている場合の試験片１の輝度情報によって示される各画素の輝度値のうち、既展開領域Ａ１に対応する画素の輝度値は相対的に低い値となっており、未展開領域Ａ２に対応する画素の輝度値は相対的に高い値となっている。そして、時間の経過に伴い検体液が流れると、既展開領域Ａ１は拡大していき、逆に未展開領域Ａ２は縮小していく。
【００８１】
既展開領域Ａ１の輝度値の実験値と、未展開領域Ａ２の輝度値の実験値との間で第３閾値ＴＶ３を設定しておき、適宜な時間間隔で取得された複数枚の判定用画像毎に輝度値が第３閾値ＴＶ３以上である明画素を検出し、複数枚の判定用画像それぞれの明画素の画素数が、画像の取得順に減少している場合に、未展開領域Ａ２が縮小している、すなわち検体液が試験片１に滴下されているものと判定することができる。
【００８２】
第３閾値ＴＶ３の設定例を以下に示す。ｘ＝ｎ、ｙ＝ｐの位置の画素の輝度をＹ（ｎ、ｐ）とし、Ｙ（ｎ−ｑ、ｐ−ｑ）〜Ｙ（ｎ＋ｑ、ｐ＋ｑ）の中央値、すなわち座標（ｎ、ｐ）を中心とした２ｑ×２ｑの領域における輝度の中央値をＹＹ（ｎ、ｐ）とし、輝度の最大値を１とする。検体液が滴下されていない試験片１、すなわち未展開領域Ａ２のＹＹ（ｎ、ｐ）の最小値が０．９４であり、検体液が滴下されている試験片１の既展開領域Ａ１のＹＹ（ｎ、ｐ）の最大値が０．７２であった場合に、第３閾値ＴＶ３は（０．９４＋０．７２）／２＝０．８３とすることができる。なお、第３閾値ＴＶ３は、必ずしも上式により設定される必要はなく、検体液が滴下されていない場合のＹＹ（ｎ、ｐ）の最小値と検体液が滴下されている場合のＹＹ（ｎ、ｐ）の最大値との間で適宜設定可能であり、上記の例において、第３閾値ＴＶ３を０．８３よりも小さな値(例えば０．７８)とすれば、明画素の検出精度を高めることが可能である。
【００８３】
そして、ｊ枚（ただし、ｊ＞１の整数）の画像を取得し、各画像の明画素の数をａｊとして、ａｊ−１−ａｊ＞α（α＞０の整数）が常に成り立つ場合に、明画素の画素数が画像の取得順に減少していると判断することができる。好ましくは、ｊは３以上であり、また、αは撮像部１２の欠陥画素を含めたノイズに基づいて適宜設定でき、例えばｊ＝５、α＝１０とすることができる。
【００８４】
図１３は、明画素の画素数に基づいて検体液が滴下されているか否かを判定する場合の、制御部１５が実行する判定処理のフローを示す。なお、以下では、二枚の判定用画像を取得するものとして説明するが、判定用画像は二枚に限定されず、三枚以上の複数枚であってもよい。
【００８５】
制御部１５は、分析開始指示が入力されると、分析開始から所定の判定時間ｔ４の経過を計時する（ステップＳ３１）。所定の判定時間ｔ４は、輝度段差を検出する上記の判定処理に用いられた判定時間ｔ１と同じであってもよいし、異なっていてもよい。
【００８６】
所定の判定時間経過後、制御部１５は、撮像部１２に試験片１を撮像させる（ステップＳ３２）。そして、制御部１５は、ステップＳ３２にて取得された試験片１の画像（第１判定用画像）を用い、この第１判定用画像の各画素の輝度値を取得する（ステップＳ３３）。
【００８７】
そして、制御部１５は、ステップＳ３３にて取得した第１判定用画像の各画素の輝度値に対して第３閾値ＴＶ３を適用することにより、第１判定用画像に設定される判定領域内の明画素を検出し、検出した明画素の画素数ｎ１をカウントする（ステップＳ３４）。判定領域は、判定用画像の全域に設定されてもよいし、判定用画像の一部の領域に設定されてもよく、判定領域が判定用画像の一部の領域に設定される場合に、好ましくは画像中のコントロールライン６よりも、試験片１を流れる検体液の流れの上流側に設定される。
【００８８】
また、制御部１５は、ステップＳ３２にて撮像部１２に試験片１を撮像させた後、適宜な時間間隔（例えば５秒）をあけて、再び撮像部１２に試験片１を撮像させる（ステップＳ３５）。制御部１５は、ステップＳ３５にて取得された試験片１の画像（第２判定用画像）を用い、この第２判定用画像の各画素の輝度値を取得する（ステップＳ３６）。
【００８９】
そして、制御部１５は、ステップＳ３６にて取得した第２判定用画像の各画素の輝度値に対して第３閾値ＴＶ３を適用することにより、第２判定用画像に設定される判定領域内の明画素を検出し、検出した明画素の画素数ｎ２をカウントする（ステップＳ３７）。なお、第２判定用画像に設定される判定領域は、第１判定用画像に設定された判定領域と同じとする。
【００９０】
制御部１５は、ステップＳ３４にてカウントした第１判定用画像の明画素の画素数ｎ１と、ステップＳ３７にてカウントした第２判定用画像の明画素の画素数ｎ２とに基づいて、検体液が滴下されているか否かを判定する（ステップＳ３８）。
【００９１】
検体液が滴下されているか否かの判定において、第２判定用画像の明画素の画素数ｎ２が第１判定用画像の明画素の画素数ｎ１以上、すなわち減少していない場合に、制御部１５は、検体液が滴下されていないものと判定し（ステップＳ３９）、報知部１３に判定結果を報知させる（ステップＳ４０）。一方、第２判定用画像の明画素の画素数ｎ２が第１判定用画像の明画素の画素数ｎ１より小さい、すなわち減少している場合には、制御部１５は、検体液が滴下されているものと判定し（ステップＳ４１）、判定処理に続けて分析処理を実行する。
【００９２】
判定処理に続く分析処理は、図９に示したステップＳ８〜ステップＳ１２と同一であるので、説明を省略する。
【００９３】
このように、試験片１の判定用画像の判定領域に含まれる明画素の画素数に基づいて検体液が滴下されているか否かを判定することにより、反応部４のコントロールライン６の呈色が検出可能となる所定の反応時間ｔ２の経過を待たずに、早期に検体液の滴下忘れを報知することが可能となる。そして、滴下忘れの状態で分析が進められた場合の無駄を排し、分析作業の効率化を図ることができる。さらに、複数枚の判定用画像間における明画素の画素数の減少は、暗画素として検出され得るノイズ、照明ムラ等には影響されないので、検体液が滴下されているか否かを安定して判定することができる。
【００９４】
ここまで、輝度段差を検出する判定方法、暗画素を検出する判定方法、及び明画素を検出する判定方法の各判定方法を個別に説明したが、複数の判定方法を組み合わせてもよい。
【００９５】
図１４に示す例は、図９に示した輝度段差を検出する判定方法と、図１２に示した暗画素を検出する判定方法とを組み合わせたものである。制御部１５は、判定用画像の輝度変化率に基づいて、検体液が滴下されているか否かを判定し（ステップＳ４）、輝度変化率が第１閾値ＴＶ１以上である輝度段差Δが判定用画像に存在しない場合（ステップＳ４−Ｎｏ）には、さらに、判定用画像の暗画素を検出して、暗画素の画素数ｎに基づいて、検体液が滴下されているか否かを判定する（ステップＳ２４）。そして、暗画素の画素数ｎが所定数Ｎ未満である場合に、検体液が滴下されていないものと判定する（ステップＳ２５）。このように、複数の判定方法を組み合わせることにより、検体液が滴下されていないと判定する場合の判定精度を高めることができる。
【００９６】
図１４に示した例では、輝度段差を検出する判定方法と暗画素を検出する判定方法とが組みわされているが、輝度段差を検出する判定方法と明画素を検出する判定方法とが組み合わされてもよいし、暗画素を検出する判定方法と明画素を検出する判定方法とが組み合わされてもよいし、輝度段差を検出する判定方法と暗画素を検出する判定方法と明画素を検出する判定方法とが組み合わされてもよい。
【００９７】
以上、説明したとおり、本明細書に開示された免疫検査装置は、検体液が滴下され且つ滴下された検体液が長手方向に流されるクロマトグラフィー試験片を撮像し、得られた画像に基づいて上記検体液を分析する免疫検査装置であって、上記クロマトグラフィー試験片を撮像する撮像部と、上記撮像部によって取得された画像に基づいて上記クロマトグラフィー試験片に対する上記検体液の滴下の有無を判定する判定部と、上記判定部の判定結果を報知する報知部と、を備え、上記判定部は、上記画像中に設定される判定領域において、上記クロマトグラフィー試験片の長手方向の輝度変化率を取得し、上記輝度変化率の絶対値が第１閾値以上である輝度段差が存在する場合に、上記検体液が滴下されたものと判定する。
【００９８】
また、本明細書に開示された免疫検査装置は、検体液が滴下され且つ滴下された検体液が長手方向に流されるクロマトグラフィー試験片を撮像し、得られた画像に基づいて上記検体液を分析する免疫検査装置であって、上記クロマトグラフィー試験片を撮像する撮像部と、上記撮像部によって取得された画像に基づいて上記クロマトグラフィー試験片に対する上記検体液の滴下の有無を判定する判定部と、上記判定部の判定結果を報知する報知部と、を備え、上記判定部は、上記画像中に設定される判定領域において、輝度値が第２閾値以下である暗画素を検出し、上記暗画素が所定数以上存在する場合に、上記検体液が滴下されたものと判定する。
【００９９】
また、本明細書に開示された免疫検査装置は、検体液が滴下され且つ滴下された上記検体液が長手方向に流されるクロマトグラフィー試験片を撮像し、得られた画像に基づいて上記検体液を分析する免疫検査装置であって、上記クロマトグラフィー試験片を撮像する撮像部と、上記撮像部によって取得された画像に基づいて上記クロマトグラフィー試験片に対する上記検体液の滴下の有無を判定する判定部と、上記判定部の判定結果を報知する報知部と、を備え、上記判定部は、複数枚の上記画像毎に、上記画像中に設定される判定領域において、輝度値が第３閾値以上である明画素を検出し、上記画像それぞれの上記明画素の画素数が上記画像の取得順に減少している場合に、上記検体液が滴下されたものと判定する。
【０１００】
また、上記クロマトグラフィー試験片は、上記検体液との接触によって呈色する反応部を有するものであり、上記判定領域は、上記画像中の上記反応部よりも、上記クロマトグラフィー試験片を流れる上記検体液の流れの上流側に設定される。
【０１０１】
また、上記判定部は、上記検体液の分析に用いられる分析用画像の取得タイミングより前のタイミングで上記撮像部によって取得された画像に基づいて上記クロマトグラフィー試験片に対する上記検体液の滴下の有無を判定する。
【０１０２】
また、上記撮像部は、上記分析用画像を取得する。
【産業上の利用可能性】
【０１０３】
本発明は、クロマトグラフィー試験片に対する検体液の滴下忘れを早期に報知可能な免疫検査装置を提供することができる。【０１０４】
以上本発明の実施形態を詳述したがこれはあくまで一例示であり、本発明はその趣旨を逸脱しない範囲において種々変更を加えた態様で実施可能である。本出願は、２０１７年２月１４日出願の日本特許出願（特願２０１７−０２５３６２）に基づくものであり、その内容はここに参照として取り込まれる。
【符号の説明】
【０１０５】
１  クロマトグラフィー試験片
２  滴下部
３  展開部
４  反応部
５  判定ライン
６  コントロールライン
７  カートリッジ
１０  免疫検査装置
１１  操作部
１２  撮像部
１３  報知部
１４  記憶部
１５  制御部
２０  設置部
２１  光源
２２  撮像素子
２３  画像処理部
２４  分析部
２５  判定部
ａ  抗原
ｂ  標識抗体
ａｂ  抗原抗体複合物
ｃ  第１捕捉抗体
ｄ  第２捕捉抗体
Ａ１  既展開領域
Ａ２  未展開領域
Ｂ  境界
ｎ  画素数
Ｎ  所定数
ｎ１  画素数
ｎ２  画素数
Ｐ  ピーク
Ｒ  判定領域
ｔ１  判定時間
ｔ２  反応時間
ｔ３  判定時間
ｔ４  判定時間
ＴＶ１  第１閾値
ＴＶ２  第２閾値
ＴＶ３  第３閾値
ｘ  長手方向
Ｙ  短手方向
Δ  輝度段差
【図１】
0006764955.tif 000002
【図２】
0006764955.tif 000003
【図３】
0006764955.tif 000004
【図４】
0006764955.tif 000005
【図５】
0006764955.tif 000006
【図６】
0006764955.tif 000007
【図７】
0006764955.tif 000008
【図８】
0006764955.tif 000009
【図９】
0006764955.tif 000010
【図１０】
0006764955.tif 000011
【図１１】
0006764955.tif 000012
【図１２】
0006764955.tif 000013
【図１３】
0006764955.tif 000014
【図１４】
0006764955.tif 000015